(57)【要約】【課題】可動体への生コンクリートの付着を防止しつつ、洗浄作業における作業性の向上を図る。【解決手段】  生コンクリートが投入される投入口１０５ａを有し車体１１０に対して回転される回転ドラム１０１と、生コンクリートを投入口に導き投入口側の端部がベルト取付部１０６として設けられたホッパー１０２と、ベルト取付部に取り付けられるベルト１０３とを有するコンクリートミキサー車の洗浄装置１であって、ベルトに固定され内部空間２ａに洗浄水が供給される固定体１と、固定体に供給される洗浄水を回転ドラムの内部に向けて噴射する吐出孔１２、１３を有し固定体に対し固定体の内部に位置される収納位置と固定体から突出される突出位置との間で洗浄水の圧力に応じて移動される可動体３と、固定体に固定されたバネ支持部１５と可動体を突出位置から収納位置へ向けて付勢するバネ１４とを有する移動規制部４とを備え、可動体は洗浄水の圧力によって収納位置から突出位置へ向けて移動されることにより吐出孔が固定体の外部に位置される。【選択図】図３
2020055119.tif 000002
【特許請求の範囲】
【請求項１】
生コンクリートが投入される投入口を有し車体に対して回転される回転ドラムと、前記生コンクリートを前記投入口に導き前記投入口側の端部がベルト取付部として設けられたホッパーと、前記ベルト取付部に取り付けられるベルトとを有するコンクリートミキサー車の洗浄装置であって、
前記ベルトに固定され内部空間に洗浄水が供給される固定体と、
前記固定体に供給される洗浄水を前記回転ドラムの内部に向けて噴射する吐出孔を有し前記固定体に対し前記固定体の内部に位置される収納位置と前記固定体から突出される突出位置との間で前記洗浄水の圧力に応じて移動される可動体と、
前記固定体に固定されたバネ支持部と前記可動体を前記突出位置から前記収納位置へ向けて付勢するバネとを有する移動規制部とを備え、
前記可動体は前記洗浄水の圧力によって前記収納位置から前記突出位置へ向けて移動されることにより前記吐出孔が前記固定体の外部に位置される
コンクリートミキサー車の洗浄装置。
【請求項２】
前記吐出孔が複数形成され、
前記複数の吐出孔が異なる形状に形成されている
請求項１に記載のコンクリートミキサー車の洗浄装置。
【請求項３】
前記固定体には洗浄水が前記車体に設けられた貯水タンクから供給される
請求項１又は請求項２に記載のコンクリートミキサー車の洗浄装置。
【請求項４】
前記固定体は前記ベルトに固定されるベース部と前記ベース部に対して屈曲された屈曲部とを有し、
前記可動体が前記屈曲部に対して移動可能にされる
請求項１、請求項２又は請求項３に記載のコンクリートミキサー車の洗浄装置。
【請求項５】
前記可動体は前記吐出孔がそれぞれ形成された第１の導水部及び第２の導水部と前記第１の導水部及び前記第２の導水部を連結する連結部とを有し、
前記バネが前記第１の導水部と前記第２の導水部の間において前記連結部に押し付けられている
請求項１、請求項２、請求項３又は請求項４に記載のコンクリートミキサー車の洗浄装置。
【発明の詳細な説明】
【技術分野】
【０００１】
本発明は、コンクリートミキサー車に設けられた回転ドラムの内部を洗浄する洗浄装置についての技術分野に関する。
【背景技術】
【０００２】
生コンクリートを運搬するコンクリートミキサー車は、生コンクリートが投入される投入口を有する回転ドラムと生コンクリートを投入口に導くホッパーとを有している。回転ドラムの内部には螺旋状のブレードが配置されている。生コンクリートの運搬に際しては回転ドラムが車体に対して回転されて生コンクリートの攪拌が行われる。
【０００３】
このようなコンクリートミキサー車にあっては、回転ドラムから生コンクリートが排出された直後に回転ドラムの内部を洗浄する要望がある。生コンクリートが排出された直後の回転ドラムの内壁やブレードには、排出されなかった一部の生コンクリートが付着している。内壁等に付着した生コンクリートは、時間の経過とともに凝固して剥離し難くなる。このため、例えば、コンクリートミキサー車が所定の場所での排出を終えて工場等に戻った場合には、移動中に生コンクリートが凝固し、凝固した生コンクリートの剥離作業の負担が増大していた。
【０００４】
上記した生コンクリートの凝固を防ぐためには、内壁等に付着した生コンクリートが乾ききらない段階で、生コンクリートに水気を与えておくことが望ましい。そこで、回転ドラムに洗浄水を送り込み、生コンクリートに水気を与える、あるいは、水圧によって内壁等から剥離させる洗浄装置が知られている（例えば、特許文献１参照）。
【先行技術文献】
【特許文献】
【０００５】
【特許文献１】特開昭５８−１３９８４８号公報
【発明の概要】
【発明が解決しようとする課題】
【０００６】
このような洗浄装置は、洗浄水の噴出口に生コンクリートが付着すると、所望の態様で洗浄水の噴射を行い難くなる虞がある。そこで、従来の洗浄装置は、洗浄作業が行われるたびに洗浄に適した所定の位置に取り付けられ、洗浄作業が終了するたびに生コンクリートが付着し難い所定の収納部に収納されるため、洗浄作業が煩雑になっていた。
【０００７】
そこで、本発明は、生コンクリートの付着を防止しつつ、洗浄作業における作業性の向上を図ることを目的とする。
【課題を解決するための手段】
【０００８】
本発明に係るコンクリートミキサー車の洗浄装置は、生コンクリートが投入される投入口を有し車体に対して回転される回転ドラムと、前記生コンクリートを前記投入口に導き前記投入口側の端部がベルト取付部として設けられたホッパーと、前記ベルト取付部に取り付けられるベルトとを有するコンクリートミキサー車の洗浄装置であって、前記ベルトに固定され内部空間に洗浄水が供給される固定体と、前記固定体に供給される洗浄水を前記回転ドラムの内部に向けて噴射する吐出孔を有し前記固定体に対し前記固定体の内部に位置される収納位置と前記固定体から突出される突出位置との間で前記洗浄水の圧力に応じて移動される可動体と、前記固定体に固定されたバネ支持部と前記可動体を前記突出位置から前記収納位置へ向けて付勢するバネとを有する移動規制部とを備え、前記可動体は前記洗浄水の圧力によって前記収納位置から前記突出位置へ向けて移動されることにより前記吐出孔が前記固定体の外部に位置されるものである。
【０００９】
これにより、可動体は、洗浄が行われていない状態において収納位置に位置され、生コンクリートが付着し難くされる。
【００１０】
上記したコンクリートミキサー車の洗浄装置においては、前記吐出孔が複数形成され、前記複数の吐出孔が異なる形状に形成されていることが望ましい。
【００１１】
これにより、吐出孔からそれぞれ異なる方向及び異なる態様で洗浄水を噴射することが可能になる。
【００１２】
上記したコンクリートミキサー車の洗浄装置においては、前記固定体には洗浄水が前記車体に設けられた貯水タンクから供給されることが望ましい。
【００１３】
これにより、貯水タンクに貯留された水が洗浄水として使用される。
【００１４】
上記したコンクリートミキサー車の洗浄装置においては、前記固定体は前記ベルトに固定されるベース部と前記ベース部に対して屈曲された屈曲部とを有し、前記可動体が前記屈曲部に対して移動可能にされることが望ましい。
【００１５】
これにより、屈曲部のベース部に対する屈曲方向に応じて可動体の吐出孔からの洗浄水の方向が変化される。
【００１６】
上記したコンクリートミキサー車の洗浄装置においては、前記可動体は前記吐出孔がそれぞれ形成された第１の導水部及び第２の導水部と前記第１の導水部及び前記第２の導水部を連結する連結部とを有し、前記バネが前記第１の導水部と前記第２の導水部の間において前記連結部に押し付けられていることが望ましい。
【００１７】
これにより、バネによる付勢力が可動体の固定体に対する移動方向と異なる方向に付与され難い。
【発明の効果】
【００１８】
本発明によれば、可動体は、洗浄が行われていない状態において収納位置に位置され、生コンクリートが付着し難くされるため、可動体への生コンクリートの付着を防止しつつ、洗浄作業における作業性を向上させることができる。
【図面の簡単な説明】
【００１９】
【図１】図２乃至図６と共に本発明コンクリートミキサー車の洗浄装置の実施の形態を示すものであり、本図は、洗浄装置が取り付けられるコンクリートミキサー車の概略図である。
【図２】洗浄装置とコンクリートミキサー車の一部を示す概略図である。
【図３】洗浄装置の分解斜視図である。
【図４】屈曲部の構造を説明する説明図である。
【図５】可動体が収納位置に位置された状態における洗浄装置を示す断面図である。
【図６】可動体が突出位置に位置された状態における洗浄装置を示す断面図である。
【発明を実施するための形態】
【００２０】
以下に、本発明コンクリートミキサー車の洗浄装置を実施するための形態について添付図面を参照して説明する。なお、以下の説明においては、コンクリートミキサー車の進行方向を前方として前後左右上下の方向を表す。
【００２１】
＜コンクリートミキサー車の概略構成＞
先ず、図１乃至図３を参照して、本発明洗浄装置が適用されるコンクリートミキサー車１００の概略構成を説明する。
【００２２】
コンクリートミキサー車１００は、生コンクリートが投入される回転ドラム１０１と、生コンクリートを回転ドラム１０１に導くホッパー１０２と、ホッパー１０２の前端部に取り付けられるベルト１０３と、洗浄水が貯留される貯水タンク１０４とを有している。
【００２３】
回転ドラム１０１はコンクリートミキサー車１００の車体１１０に対して回転される。
回転ドラム１０１の後端部には環状の投入部１０５が設けられ、投入部１０５の後端の開口は、生コンクリートが投入される投入口１０５ａとして形成されている。投入された生コンクリートが貯留される回転ドラム１０１の内部には、図示しない螺旋状のブレードが設けられている。ブレードによって回転ドラム１０１の内部に投入された生コンクリートが攪拌される。
【００２４】
ホッパー１０２は、二つの開口１０２ａ、１０２ｂを有し、開口１０２ａが回転ドラム１０１の投入口１０５ａ側を向き開口１０２ｂが上方を向くように配置されている。ホッパー１０２の開口１０２ａと回転ドラム１０１の投入口１０５ａとの間には、隙間Ｇが形成されている。隙間Ｇによって回転ドラム１０１は車体１１０に対してホッパー１０２と接触することなく円滑に回転される。ホッパー１０２における投入口１０５ａ側の端部は、ベルト１０３が取り付けられる環状のベルト取付部１０６として設けられている。
【００２５】
ベルト取付部１０６にはバンド体１０７が取り付けられる。バンド体１０７は、例えば、ゴム等の樹脂材料によって平板状に形成され、屈曲可能にされている。バンド体１０７は、ホッパー１０２のベルト取付部１０６と隙間Ｇと回転ドラム１０１の投入部１０５とを下方から覆うように配置されている。
【００２６】
ベルト１０３は、例えば、金属材料によって環状に形成されている。ベルト１０３には、例えば、二つの取付孔１０３ａ、１０３ａが形成されている（図３参照）。ベルト１０３は、二つの取付孔１０３ａ、１０３ａが上方に位置されバンド体１０７の一部を押さえた状態でベルト取付部１０６に外周側から取り付けられている。バンド体１０７がベルト１０３によって押さえられることにより、バンド体１０７はベルト取付部１０６と回転ドラム１０１の投入部１０５とに亘る位置に取り付けられる。従って、ホッパー１０２からバンド体１０７を介して回転ドラム１０１の内部に生コンクリートが円滑に投入される。
【００２７】
貯水タンク１０４は回転ドラム１０１の前方に位置されている。貯水タンク１０４に図示しないホース等を接続することにより、ホースを用いて手動により回転ドラム１０１の内部やホッパー１０２の内部等を洗浄することが可能にされている。
【００２８】
＜洗浄装置の構成＞
図１及び図２に示すように、洗浄装置１はベルト１０３に取り付けられ、一部が回転ドラム１０１の投入部１０５とホッパー１０２のベルト取付部１０６との間に位置されている。洗浄装置１は、ベルト１０３に固定される固定体２と、固定体２に対して移動される可動体３と、可動体３の移動を規制する移動規制部４とを有している（図３参照）。
【００２９】
固定体２は、内部で洗浄水が流動される本体部５と、洗浄水が供給される給水部６とを有している。固定体２の内部空間２ａは洗浄水が供給される流路として形成されている。
【００３０】
本体部５は、例えば、金属材料によって角筒状に形成され、前後に延びるベース部７と、ベース部７に対して屈曲された屈曲部８とを有している。
【００３１】
ベース部７は後端部が閉塞されている。ベース部７の上面部における後端部には給水部６の下端部が結合されている。
【００３２】
屈曲部８はベース部７から下方に突出されている。屈曲部８の下端部には移動規制部４の一部を固定するネジ５０が挿入される固定孔８ａが形成されている。
【００３３】
給水部６は、上下両端が開口された円筒状に形成されている。給水部６の上端部には、貯水タンク１０４に接続されるホース７０の先端が取り付けられる（図２参照）。  
【００３４】
このような固定体２は固定具６０を介してベルト１０３に固定される。固定具６０は平板が屈曲されて形成され、ベース部７の後端部における上面と左右側面とを覆う中央部６１と、中央部６１の左右のそれぞれの端部から左方又は右方に突出された鍔部６２、６２とを有している。中央部６１には給水部６が挿入される挿入孔６１ａが形成されている。鍔部６２、６２には、例えば、図示しないネジ等の締結部材が挿入される取付孔６２ａ、６２ａが形成されている。
【００３５】
固定体２は、固定具６０の挿入孔６１ａに給水部６が挿入された状態で固定具６０の取付孔６２ａ、６２ａにそれぞれ締結部材が挿入されベルト１０３の取付孔１０３ａ、１０３ａにそれぞれ締結部材が螺合されることにより、ベース部７が固定具６０とベルト１０３に挟み込まれた状態でベルト１０３に固定される。従って、固定体２は屈曲部８がベルト１０３より前方に位置される。
【００３６】
可動体３は屈曲部８に対して上下方向へ移動可能にされている。可動体３は、左右方向に離間して位置された第１の導水部９及び第２の導水部１０と、第１の導水部９と第２の導水部１０の間に位置され第１の導水部９と第２の導水部１０を連結する連結部１１とを有している。可動体３の前後の幅は屈曲部８の内面の前後の幅と略同じにされ、可動体３の左右の幅は屈曲部８の左右の幅と略同じにされている。
【００３７】
第１の導水部９と第２の導水部１０と連結部１１はそれぞれ角筒状に形成されている。第１の導水部９と第２の導水部１０には上面から下端寄りの位置に亘って上下方向に延びる流動孔９ａ、１０ａがそれぞれ形成されている。
【００３８】
第１の導水部９と第２の導水部１０の下端部には流動孔９ａ、１０ａに連通された吐出孔１２、１３がそれぞれ形成されている。吐出孔１２は第１の導水部９の前面部から下面部に亘る位置に形成され、吐出孔１３は第２の導水部１０の前面部から左右両側面部及び下面に亘る位置に形成されている（図３及び図４参照）。
【００３９】
第１の導水部９に形成された吐出孔１２は、上下方向に延びる直線状のスリット１２ａと、スリット１２ａの上下方向における中間に位置されスリット１２ａの左右方向（幅方向）の大きさより大きな幅を有する円形状の切込１２ｂと、第１の導水部９の下面部に形成されスリット１２ａに連続された下方切込１２ｃとを有している。
【００４０】
第２の導水部１０の吐出孔１３は、第２の導水部１０の前面部に形成され左右方向に延びる直線状のスリット１３ａとスリット１３ａの左右方向における中間位置から下方に延びる直線状の切込１３ｂと、第２の導水部１０の左右両側面部にそれぞれ形成され前端がスリット１３ａの左右方向における各端部に連続された側方スリット１３ｃ、１３ｃと、第２の導水部１０の下面部に形成され前端が切込１３ｂに連続され前後方向に延びる下方切込１３ｄとを有している。側方スリット１３ｃ、１３ｃは、後方へ行くに従って上方へ変位するように傾斜されている。
【００４１】
連結部１１は、左右両端部がそれぞれ第１の導水部９の上端部と第２の導水部１０の上端部とに連続されている。
【００４２】
移動規制部４は固定体２の内部空間２ａに配置され、上下方向において弾性変形可能なバネ１４と、バネ１４を支持するバネ支持部１５とを有している。
【００４３】
バネ支持部１５は略直方体状のバネ受け部１５ａとバネ受け部１５ａの上面から上方に突出された円柱状の突出部１５ｂとを有している。バネ支持部１５には、バネ受け部１５ａを前後方向に貫通する螺孔１５ｃが形成されている。バネ支持部１５は突出部１５ｂがバネ１４の下端部に挿入された状態でネジ５０が固定体２の固定孔８ａに挿入され螺孔１５ｃに螺合されることにより固定体２に固定される。
【００４４】
バネ支持部１５が固定体２に固定された状態において、バネ１４は上端が可動体３の連結部１１の下面に押し付けられ下端がバネ受け部１５ａの上面に押し付けられる。従って、可動体３はバネ１４によって固定体２の屈曲部８に対して上方に付勢される。
【００４５】
＜洗浄装置の動作＞
上記のように構成された洗浄装置１において、固定体２に洗浄水が供給されていない状態で、可動体３は屈曲部８の内部に収納された収納位置に位置されている（図５参照）。収納位置に位置された可動体３は、全体が固定体２の内部空間２ａに位置され、吐出孔１２、１３が屈曲部８の内面に面している。
【００４６】
洗浄装置１において、貯水タンク１０４からホース７０を介して給水部６から固定体２の内部空間２ａに洗浄水が供給されると、洗浄水の圧力が可動体３に付与され、可動体３に対して付与される水圧が上昇し、可動体３が下方に移動して屈曲部８から突出された突出位置に位置される（図６参照）。このとき、バネ１４は可動体３の連結部１１の下面とバネ受け部１５ａの上面との間で圧縮される。
【００４７】
突出位置に位置された可動体３は、下端部が屈曲部８から突出され、吐出孔１２、１３が固定体２の外部に位置されている。洗浄水は固定体２の内部空間２ａから可動体３の流動孔９ａ、１０ａを介して吐出孔１２、１３から回転ドラム１０１の内部に向けて吐出される。吐出孔１２、１３から洗浄水が吐出されることにより、回転ドラム１０１の内壁やブレードに付着した生コンクリートに水気が与えられ、あるいは、水圧によって付着した生コンクリートが内壁等から剥離され、回転ドラム１０１の内部が洗浄される。
【００４８】
このとき、可動体３に吐出孔１２、１３が形成され、吐出孔１２、１３が異なる形状に形成されているため、吐出孔１２、１３から異なる方向及び異なる態様で洗浄水を吐出することが可能になる。従って、広範囲かつ効率的な洗浄を行うことができる。
【００４９】
また、固定体２はベルト１０３に固定されるベース部７とベース部７に対して屈曲された屈曲部８とを有し、可動体３が屈曲部８に対して移動可能にされている。従って、屈曲部８のベース部７に対する屈曲方向に応じて可動体３の吐出孔１２、１３からの洗浄水の方向が変化されるため、屈曲部８をベース部７に対して所望の方向に屈曲させることで、洗浄水を所望の方向に吐出させることができる。さらに、屈曲部８がベース部７から下方に突出されていることで、突出位置に位置された可動体３は、下端部がベルト１０３より下方に位置されている。これにより、吐出孔１２、１３が投入口１０５ａの中心により近い位置に位置され、洗浄水を投入口１０５ａの中心に近い位置から内部に向けて吐出することができる。従って、より広範囲かつ効率的な洗浄を行うことができる。
【００５０】
貯水タンク１０４からの洗浄水の供給が停止されると、内部空間２ａの内圧が低下し、圧縮されていたバネ１４が伸長される。可動体３は伸長されたバネ１４によって突出位置から収納位置に移動され、固定体２の内部空間２ａに収納される。
【００５１】
このように、可動体３は洗浄水の圧力によって収納位置から突出位置へ向けて移動されることにより吐出孔１２、１３が固定体２の外部に位置される。上記した構成により、洗浄作業が行われていない状態において、可動体３は固定体２の内部空間２ａに位置され収納位置にあるため、可動体３に生コンクリートが付着し難くされる。可動体３に生コンクリートが付着し難くされることで、生コンクリートの付着により生じる吐出孔１２、１３の目詰まりが防止される。従って、洗浄作業が終了するたびに洗浄装置を手動でベルト１０３から取り外す手間がなくなるほか、目詰まりを起こした生コンクリートを洗浄装置１から除去する整備作業が不要になる。従って、可動体３に対する生コンクリートの付着を防止しつつ、洗浄作業における作業性を向上させることができる。さらに、圧力の変化に応じて自ら弾性変形するバネ１４を用いることで、簡素な構造で可動体３の移動が可能にされ、洗浄装置１の製造コストの増大を抑制することができる。
【００５２】
また、上記した構成において、固定体２には洗浄水がコンクリートミキサー車１００に設けられた貯水タンク１０４から供給される。貯水タンク１０４に貯留された水が洗浄装置１における洗浄水として使用されるため、外部から洗浄水の供給が得られない場合であっても、生コンクリートが凝固する前の洗浄作業に好適な段階で回転ドラム１０１の内部の洗浄を行うことができる。また、特殊な薬剤等を使用することなく洗浄水を使って回転ドラム１０１の内部の洗浄を行うことができるため、洗浄作業のコストを低減することができる。さらに、コンクリートミキサー車１００に予め設けられていた貯水タンク１０４を洗浄装置１において用いるため、洗浄装置１の専用の給水タンクを設ける必要がなくなり、製造コストを低減させることができる。
【００５３】
さらにまた、洗浄装置１はベルト１０３に取り付けられている。ベルト１０３は元々バンド体１０７をベルト取付部１０６に取り付けるために設けられている。このベルト１０３に洗浄装置１を取り付けることにより、装置１を取り付けるための専用の取付部材が不要とされ、製造コストを低減させることができる。
【００５４】
上記した構成においては、可動体３は吐出孔１２、１３がそれぞれ形成された第１の導水部９及び第２の導水部１０と第１の導水部９及び第２の導水部１０を連結する連結部１１とを有し、バネ１４が第１の導水部９と第２の導水部１０の間において連結部１１に押し付けられている。従って、バネ１４による付勢力が可動体３の固定体２に対する移動方向と異なる方向に付与され難いため、可動体３が移動方向と異なる方向に移動され難くなり、固定体２に対して可動体３を円滑に移動させることができる。
【００５５】
なお、上記には第１の導水部９と第２の導水部１０に異なる形状を有する吐出孔１２、１３が形成された例を示したが、第１の導水部９と第２の導水部１０に同じ形状を有する吐出孔が形成されていてもよい。この場合には、洗浄装置１の生産性を向上させることができる。
【００５６】
また、吐出孔１２、１３の形状は上記した例に限られず、所望の吐出方向や吐出態様を実現する形状に形成されていればよい。
【００５７】
なお、洗浄装置１は、内壁等に付着した生コンクリートを水圧によって剥離させる洗浄装置として用いることができるほか、回転ドラム１０１から生コンクリートが排出された直後に、内壁等に付着した生コンクリートに洗浄水をかけて水気を与えておき、後に行われる手動等による洗浄作業が容易に行われるように補助する洗浄補助装置として用いることもできる。
【符号の説明】
【００５８】
１…洗浄装置
２…固定体
２ａ…内部空間
３…可動体
４…移動規制部
５…本体部
６…給水部
７…ベース部
８…屈曲部
９…第１の導水部
１０…第２の導水部
１１…連結部
１２…吐出孔
１３…吐出孔
１４…バネ
１５…バネ支持部
１００…コンクリートミキサー車
１０１…回転ドラム
１０２…ホッパー
１０３…ベルト
１０４…貯水タンク
１０５…投入部
１０５ａ…投入口
１０６…ベルト取付部
１１０…車体
Ｇ…隙間
５０…ネジ
６０…固定具
７０…ホース
【図１】
2020055119.tif 000003
【図２】
2020055119.tif 000004
【図３】
2020055119.tif 000005
【図４】
2020055119.tif 000006
【図５】
2020055119.tif 000007
【図６】
2020055119.tif 000008